(57)【要約】【課題】  ユーザに面白みを与える画像を生成することが可能な撮影装置を提供する。【解決手段】  シャッタボタン２ａ１が操作されると、制御部２ｆは、撮影部２ｂに被写体３を撮影させ、受光部２ｃの受光結果を受け付ける。撮影部２ｂは、被写体３を撮影すると、被写体３を示す撮影画像を制御部２ｆに出力する。制御部２ｆは、撮影部２ｂから出力された撮影画像を受け付ける。制御部２ｆは、受光部２ｃの受光結果から特定情報を抽出し、その抽出された特定情報にて特定される重畳用画像を、撮影部２ｂが出力した撮影画像に重ね合わせて、合成画像を生成する。【選択図】      図１
2006229743.tif 000002
【特許請求の範囲】
【請求項１】
撮影画像を加工する撮影装置であって、
前記撮影画像を取得して出力する撮影部と、
前記撮影画像を加工する旨の加工情報を受け付ける受信部と、
前記撮影部にて出力された撮影画像を、前記受信部にて受け付けられた加工情報に基づいて加工する制御部と、を含む撮影装置。
【請求項２】
請求項１に記載の撮影装置であって、
前記受信部は、前記撮影画像に重ね合わせる重畳用画像を特定する特定情報を、前記加工情報として受け付け、
前記制御部は、前記特定情報にて特定される重畳用画像を前記撮影画像に重ね合わせる、撮影装置。
【請求項３】
請求項２に記載の撮影装置において、
前記制御部は、前記重畳用画像を前記特定情報に基づいて生成し、その生成された重畳用画像を前記撮影画像に重ね合わせる、撮影装置。
【請求項４】
請求項２または３に記載の撮影装置において、
前記受信部は、画像データまたは文字コードを、前記特定情報として受け付ける、撮影装置。
【請求項５】
請求項２または３に記載の撮影装置において、
基準画像を格納する基準画像格納部をさらに含み、
前記制御部は、前記基準画像を前記特定情報に基づいて変更して前記重畳用画像を生成する、撮影装置。
【請求項６】
請求項５に記載の撮影装置において、
前記受信部は、前記基準画像を受け付け、
前記基準画像格納部は、前記受信部にて受け付けられた基準画像を格納する、撮影装置。
【請求項７】
請求項５に記載の撮影装置において、
前記受信部は、前記基準画像を入手するために必要となる入手用情報を受け付け、
前記受信部が受け付けた入手用情報に基づいて前記基準画像を入手する入手部をさらに含み、
前記基準画像格納部は、前記入手部にて入手された基準画像を格納する、撮影装置。
【請求項８】
請求項２に記載の撮影装置において、
各々が重畳用画像を特定する複数の候補情報のそれぞれを、互いに異なる特定情報と関連づけて格納する格納部をさらに含み、
前記制御部は、
前記受信部にて受け付けられた特定情報と関連づけられて格納されている候補情報を選択する選択部と、
前記選択部が選択した候補情報にて特定される重畳用画像を前記撮影画像に重ね合わせる画像処理部と、を含む、撮影装置。
【請求項９】
請求項８に記載の撮影装置において、
前記格納部は、画像データまたは文字コードを、前記候補情報として格納する、撮影装置。
【請求項１０】
請求項８に記載の撮影装置において、
前記格納部は、重畳用画像を入手するために必要となる入手情報を、前記候補情報として格納し、
前記選択部が選択した入手情報に基づいて、前記重畳用画像を入手する入手部をさらに含み、
前記画像処理部は、前記入手部が入手した重畳用画像を前記撮影画像に重ね合わせる、撮影装置。
【請求項１１】
請求項５ないし１０のいずれか１項に記載の撮影装置において、
前記受信部は、受光部であり、
前記特定情報は、光の強度である、撮影装置。
【請求項１２】
請求項５ないし１０のいずれか１項に記載の撮影装置において、
前記特定情報は、識別情報である、撮影装置。
【請求項１３】
請求項５ないし１０のいずれか１項に記載の撮影装置において、
前記受信部は、受光部であり、
前記受光部が受け付ける特定情報を選択する光制御部をさらに含む、撮影装置。
【請求項１４】
請求項１３に記載の撮影装置において、
前記光制御部は、前記受光部の一部を選択的に遮光する遮光部、カラーフィルタ、または、液晶パネルである、撮影装置。
【請求項１５】
請求項２に記載の撮影装置において、
前記受信部は、前記重畳用画像を入手するために必要となる入手情報を、前記特定情報として受け付け、
前記受信部が受け付けた入手情報に基づいて、前記重畳用画像を入手する入手部をさらに含み、
前記制御部は、前記入手部が入手した重畳用画像を前記撮影画像に重ね合わせる、撮影装置。
【請求項１６】
請求項１に記載の撮影装置において、
前記受信部は、撮影画像の加工方法を示す加工法情報を、前記加工情報として受け付け、
前記制御部は、前記加工法情報に示された加工方法にて、前記撮影部にて出力された撮影画像を加工する、撮影装置。
【請求項１７】
請求項１ないし１６のいずれか１項に記載の撮影装置において、
前記撮影部は、前記受信部を兼ねる、撮影装置。
【請求項１８】
請求項１ないし１７のいずれか１項に記載の撮影装置と、光を発する発光装置を含む撮影システムであって、
前記受信部は、受光部であり、
前記発光装置は、前記加工情報を含む光を発する、撮影システム。
【請求項１９】
請求項１８に記載の撮影システムにおいて、
前記発光装置は、時間の経過に伴い、前記光に含まれる加工情報を他の加工情報に切り替える、撮影システム。
【請求項２０】
撮影画像を加工する撮影装置が行う画像生成方法であって、
前記撮影画像を取得して出力する出力ステップと、
前記撮影画像を加工する旨の加工情報を受け付ける受信ステップと、
前記撮影画像を、前記加工情報に基づいて加工する制御ステップと、を含む画像生成方法。
【請求項２１】
請求項２０に記載の画像生成方法において、
前記受信ステップでは、前記撮影画像に重ね合わせる重畳用画像を特定する特定情報を、前記加工情報として受け付け、
前記制御ステップでは、前記特定情報にて特定される重畳用画像を前記撮影画像に重ね合わせる、画像生成方法。
【請求項２２】
請求項２１に記載の画像生成方法において、
前記制御ステップでは、前記重畳用画像を前記特定情報に基づいて生成し、その生成された重畳用画像を前記撮影画像に重ね合わせる、画像生成方法。
【請求項２３】
請求項２１または２２に記載の画像生成方法において、
前記受信ステップでは、画像データまたは文字コードを、前記特定情報として受け付ける、画像生成方法。
【請求項２４】
請求項２１または２２に記載の画像生成方法において、
前記撮影装置は、基準画像を格納する基準画像格納部を含み、
前記制御ステップでは、前記基準画像を前記特定情報に基づいて変更して前記重畳用画像を生成する、画像生成方法。
【請求項２５】
請求項２４に記載の画像生成方法において、
前記基準画像を受け付ける受付ステップと、
前記受信ステップにて受け付けられた基準画像を前記基準画像格納部に格納する格納ステップと、をさらに含む画像生成方法。
【請求項２６】
請求項２４に記載の画像生成方法において、
前記受信ステップでは、前記基準画像を入手するために必要となる入手用情報を受け付け、
前記手用情報に基づいて前記基準画像を入手する入手ステップをさらに含み、
前記格納ステップでは、前記入手ステップにて入手された基準画像を前記基準画像格納部に格納する、画像生成方法。
【請求項２７】
請求項２１に記載の画像生成方法において、
前記撮影装置は、各々が重畳用画像を特定する複数の候補情報のそれぞれを、互いに異なる特定情報と関連づけて格納する格納部を含み、
前記制御ステップは、
前記受信ステップにて受け付けられた特定情報と関連づけられて格納されている候補情報を選択する選択ステップと、
前記選択ステップにて選択された候補情報にて特定される重畳用画像を前記撮影画像に重ね合わせる画像処理ステップと、を含む、画像生成方法。
【請求項２８】
請求項２７に記載の画像生成方法において、
前記格納部は、画像データまたは文字コードを、前記候補情報として格納する、画像生成方法。
【請求項２９】
請求項２７に記載の画像生成方法において、
前記格納部は、重畳用画像を入手するために必要となる入手情報を、前記候補情報として格納し、
前記制御ステップは、
前記選択ステップにて選択された入手情報に基づいて、前記重畳用画像を入手する入手ステップをさらに含み、
前記画像処理ステップは、前記入手ステップにて入手された重畳用画像を前記撮影画像に重ね合わせる、画像生成方法。
【請求項３０】
請求項２４ないし２９のいずれか１項に記載の画像生成方法において、
前記受信ステップでは、前記特定情報を光で受け付け、
前記特定情報は、光の強度である、画像生成方法。
【請求項３１】
請求項２４ないし２９のいずれか１項に記載の画像生成方法において、
前記特定情報は、識別情報である、画像生成方法。
【請求項３２】
請求項２４ないし２９のいずれか１項に記載の画像生成方法において、
前記受信ステップでは、前記特定情報を光で受け付け、
前記特定情報を選択する光制御ステップをさらに含む、画像生成方法。
【請求項３３】
請求項２１に記載の画像生成方法において、
前記受信ステップでは、前記重畳用画像を入手するために必要となる入手情報を、前記特定情報として受け付け、
前記受信ステップにて受け付けられた入手情報に基づいて、前記重畳用画像を入手する入手ステップをさらに含み、
前記制御ステップは、前記入手ステップにて入手された重畳用画像を前記撮影画像に重ね合わせる、画像生成方法。
【請求項３４】
請求項２０に記載の画像生成方法において、
前記受信ステップでは、撮影画像の加工方法を示す加工法情報を、前記加工情報として受け付け、
前記制御ステップでは、前記加工法情報に示された加工方法にて、前記撮影画像を加工する、画像生成方法。
【請求項３５】
請求項１ないし１９のいずれか１項に記載の撮影装置と、発光装置と、を含む撮影システムが行う画像生成方法であって、
前記発光装置が、前記加工情報を含む光を発する発光ステップと、
前記撮影装置が、前記撮影画像を取得して出力する出力ステップと、
前記撮影装置が、前記加工情報を含む光を受光する受光ステップと、
前記撮影装置が、前記撮影画像を、前記加工情報に基づいて加工する制御ステップと、を含む画像生成方法。
【請求項３６】
請求項３５に記載の画像生成方法において、
前記発光ステップでは、時間の経過に伴い、前記光に含まれる加工情報を他の加工情報に切り替える、画像生成方法。
【発明の詳細な説明】
【技術分野】
【０００１】
本発明は、撮影装置、撮影システムおよび画像生成方法に関し、特には、被写体を示す撮影画像を加工する撮影装置、撮影システムおよび画像生成方法に関する。
【背景技術】
【０００２】
従来、撮影画像とユーザにて設定されたフレーム画像とを重ね合わせて合成画像を生成するデジタルカメラが知られている。このデジタルカメラは、ユーザが任意のフレーム画像を設定することによって、多様な合成画像を生成する。
【発明の開示】
【発明が解決しようとする課題】
【０００３】
従来のデジタルカメラでは、フレーム画像は、ユーザにて設定される。このため、その合成画像は、ユーザにて予測可能となる。したがって、従来のデジタルカメラは、ユーザが予測できないような面白みのある画像を生成できなかった。
【０００４】
本発明の目的は、ユーザに面白みを与える画像を生成することが可能な撮影装置、撮影システムおよび撮影方法を提供することである。
【課題を解決するための手段】
【０００５】
上記の目的を達成するために、本発明の撮影装置は、撮影画像を加工する撮影装置であって、前記撮影画像を取得して出力する撮影部と、前記撮影画像を加工する旨の加工情報を受け付ける受信部と、前記撮影部にて出力された撮影画像を、前記受信部にて受け付けられた加工情報に基づいて加工する制御部とを含む。
【０００６】
また、本発明の画像生成方法は、撮影画像を加工する撮影装置が行う画像生成方法であって、前記撮影画像を取得して出力する出力ステップと、前記撮影画像を加工する旨の加工情報を受け付ける受信ステップと、前記撮影画像を、前記加工情報に基づいて加工する制御ステップとを含む。
【０００７】
上記の発明によれば、撮影画像は、加工情報に基づいて加工される。加工情報は、受信部にて受け付けられる。このため、撮影画像は、ユーザが設定していない加工情報に基づいて加工可能となる。よって、加工済みの画像が、ユーザが予測できないような面白みのある画像になる可能性が高くなる。したがって、ユーザに面白みを与えることが可能になる。
【０００８】
前記加工情報が、前記撮影画像に重ね合わせる重畳用画像を特定する特定情報であり、前記特定情報にて特定される重畳用画像が、前記撮影画像に重ね合わせられることが望ましい。
【０００９】
上記の発明によれば、撮影画像は、ユーザが設定していない重畳用画像と重ね合わせられる。このため、ユーザが予測できないような面白みのある画像を生成することが可能となる。
【００１０】
前記重畳用画像が前記特定情報に基づいて生成され、その生成された重畳用画像が前記撮影画像に重ね合わせられることが望ましい。
【００１１】
上記の発明によれば、重畳用画像が特定情報に基づいて生成される。このため、ユーザが予測できないような面白みのある画像を生成することが可能となる。
【００１２】
前記特定情報は、画像データまたは文字コードであることが望ましい。
【００１３】
上記の発明によれば、特定情報が示す画像を重畳用画像として利用可能となる。
【００１４】
前記重畳用画像は、基準画像を特定情報に基づいて変更して生成されることが望ましい。
【００１５】
上記の発明によれば、特定情報として画像データが用いられる場合に比べて、特定情報のデータ量を少なくすることが可能となる。
【００１６】
前記基準画像は受け付けられることが望ましい。
【００１７】
上記の発明によれは、基準画像を変更することが可能になる。
【００１８】
前記基準画像を入手するために必要となる入手用情報が受け付けられ、その入手用情報に基づいて前記基準画像が入手されることが望ましい。
【００１９】
上記の発明によれば、種々の装置から基準画像を入手することが可能になる。
【００２０】
各々が重畳用画像を特定する複数の候補情報のそれぞれが、互いに異なる特定情報と関連づけて格納部に格納され、受け付けられた特定情報と関連づけられて格納されている候補情報が選択され、その選択された候補情報にて特定される重畳用画像が撮影画像に重ね合わせることが望ましい。
【００２１】
上記の発明によれば、特定情報と関連する候補情報にて特定される重畳用画像が撮影画像に重ね合わせられる。特定情報は、受信部にて受け付けられる。このため、撮影画像は、ユーザが設定していない重畳用画像と重ね合わせられる。よって、撮影画像と重畳用画像とが重ね合わされた画像が、ユーザが予測できないような面白みのある画像になる可能性が高くなる。したがって、ユーザに面白みを与えることが可能になる。
【００２２】
前記格納部は、画像データまたは文字コードを、前記候補情報として格納することが望ましい。
【００２３】
上記の発明によれば、候補情報が示す画像を重畳用画像として利用可能となる。
【００２４】
前記格納部は、重畳用画像を入手するために必要となる入手情報を、前記候補情報として格納し、選択された入手情報に基づいて重畳用画像が入手され、その入手された重畳用画像が撮影画像に重ね合わせられる。
【００２５】
上記の発明によれば、候補情報として入手情報が用いられる。このため、候補情報として画像データが用いられる場合に比べて、候補情報のデータ量を少なくすることが可能になる。
【００２６】
前記特定情報は、光の強度であることが望ましい。
【００２７】
上記の発明によれば、撮影画像と重ねられる重畳用画像は、受光された光の強度に基づいて選択される。受光された光の強度は、その光を発光した発光部と撮影装置との距離も示す。このため、撮影画像と重ねられる重畳用画像は、その光の強度またはその距離に基づいて選択される。したがって、撮影画像と重畳用画像とが重ね合わされた画像が、ユーザが予測できないような面白みのある画像になる可能性が高くなる。
【００２８】
前記特定情報は、識別情報であることが望ましい。
【００２９】
上記の発明によれば、識別情報を利用することによって、撮影画像と重畳用画像とが重ね合わされた画像を、ユーザが予測できないような面白みのある画像にすることが可能となる。
【００３０】
特定情報が光制御部にて選択されることが望ましい。
【００３１】
上記の発明によれば、重畳用画像を特定する特定情報は、光制御部によって選択される。このため、撮影画像と重畳用画像とが重ね合わされた画像が、ユーザが予測できないような面白みのある画像になる可能性が高くなる。
【００３２】
前記光制御部は、前記受光部の一部を選択的に遮光する遮光部、カラーフィルタ、または、液晶パネルであることが望ましい。
【００３３】
前記重畳用画像を入手するために必要となる入手情報が前記特定情報として受け付けられ、その入手情報に基づいて、前記重畳用画像が入手され、その入手された重畳用画像を前記撮影画像に重ね合わせることが望ましい。
【００３４】
上記の発明によれば、特定情報として入手情報が用いられる。このため、特定情報として画像データが用いられる場合に比べて、特定情報のデータ量を少なくすることが可能になる。
【００３５】
前記加工情報が撮影画像の加工方法を示す加工法情報であり、その加工法情報に示された加工方法にて、撮影画像が加工されることが望ましい。
【００３６】
上記の発明によれば、撮影画像は、ユーザが設定していない加工方法にて加工可能となる。よって、加工済みの画像が、ユーザが予測できないような面白みのある画像になる可能性が高くなる。したがって、ユーザに面白みを与えることが可能になる。
【００３７】
前記撮影部は、前記受信部を兼ねることが望ましい。
【００３８】
上記の発明によれば、構成の簡略化を図ることが可能となる。
【００３９】
本発明の撮影システムは、上記撮影装置と、光を発する発光装置を含む撮影システムであって、前記受信部は、受光部であり、前記発光装置は、前記加工情報を含む光を発する。
【００４０】
また、本発明の画像生成方法は、上記撮影装置と発光装置とを含む撮影システムが行う画像生成方法であって、前記発光装置が、前記加工情報を含む光を発する発光ステップと、前記撮影装置が、被写体を撮影して前記撮影画像を出力する出力ステップと、前記被写体が撮影される際に、前記撮影装置が、前記加工情報を含む光を受光する受光ステップと、前記撮影装置が、前記撮影画像を、前記加工情報に基づいて加工する制御ステップと、を含む。
【００４１】
上記の発明によれば、ユーザが予測できないような面白みのある画像を提供することが可能となる。
【００４２】
前記発光装置は、時間の経過に伴い、前記光に含まれる加工情報を他の加工情報に切り替えることが望ましい。
【００４３】
上記の発明によれば、撮影装置は、同じ場所で撮影を行っても、その撮影タイミングにより異なる加工済み画像を出力ことが可能になる。したがって、加工済み画像が、ユーザが予測できないような面白みのある画像になる可能性が高くなる。
【発明の効果】
【００４４】
本発明によれば、ユーザに面白みを与える画像を生成することが可能となる。
【発明を実施するための最良の形態】
【００４５】
以下、本発明の実施例について図面を参照して説明する。
【００４６】
図１は、本発明の第１実施例の撮影システムを示したブロック図である。
【００４７】
図１において、撮影システムは、発光装置１と、撮影装置２とを含む。発光装置１は、発光部１ａと、発光制御部１ｂとを含む。撮影装置２は、操作部２ａと、撮影部２ｂと、受光部２ｃと、通信部２ｄと、メモリ２ｅと、制御部２ｆと、格納部２ｇと、表示部２ｈとを含む。
【００４８】
発光装置１は、可視光を投射する。発光装置１は、例えば、照明装置または電飾装置である。
【００４９】
発光部１ａは、可視光を投射する。発光部１ａは、例えば、ＬＥＤ等の変調が可能な光源である。なお、発光部１ａは、外部変調器により、変調可能な光源でもよい。
【００５０】
発光制御部１ｂは、発光部１ａが投射する光を制御する。
【００５１】
発光制御部１ｂは、撮影画像を加工する旨の加工情報を含む可視光を、発光部１ａから出力させる。例えば、発光制御部１ｂは、発光部１ａから照射される可視光を変調して、その可視光にその加工情報をのせる。
【００５２】
加工情報は、例えば、重畳用画像を特定するための特定情報である。以下、加工情報として特定情報が用いられた場合の例を説明する。
【００５３】
なお、特定情報を含む可視光を発光部１ａから出力させる手法は、変調に限らず適宜変更可能である。例えば、発光制御部１ｂは、特定情報として特定波長の光を用い、その特定波長の光を含む可視光を発光部１ａから出力させてもよい。
【００５４】
発光制御部１ｂは、時間の経過に伴い、可視光に含まれる加工情報を他の加工情報に切り替える。
【００５５】
例えば、発光制御部１ｂは、所定時間が経過するごとに、可視光に含まれる加工情報を、加工情報Ａ、加工情報Ｂ、加工情報Ｃの順に切り替える。発光制御部１ｂは、加工情報Ｃにしてから所定時間が経過すると、可視光に含まれる加工情報を加工情報Ａに戻し、これ以降、上記と同様に可視光に含まれる加工情報を切り替えていく。
【００５６】
なお、発光制御部１ｂによって切り替えられる加工情報は、３種類の限らず適宜変更可能である。
【００５７】
特定情報にて特定される重畳用画像は、撮影画像に重ね合わせるための画像である。
【００５８】
重畳用画像は、例えば、撮影画像のフレーム画像である。なお、重畳用画像は、フレーム画像に限らず適宜変更可能であり、例えば、特定のキャラクタを示すキャラクタ画像、または、所定の文字を示す文字画像でもよい。
【００５９】
特定情報は、例えば、重畳用画像そのもの（重畳用画像を示す画像データ）である。
【００６０】
なお、特定情報は、重畳用画像を示す画像データに限らず適宜変更可能である。
【００６１】
例えば、特定情報は、文字コードでもよい。なお、文字コードにて示される文字は、例えば、撮影日時を示す文字、撮影場所を示す文字、または、撮影対象物の名称を示す文字である。
【００６２】
また、特定情報は、重畳用画像を入手するために必要となる入手情報でもよい。なお、入手情報は、例えば、重畳用画像を格納しているサーバへのアクセス情報（そのサーバのＵＲＬ等）である。
【００６３】
撮影装置２は、例えば、デジタルカメラ、または、デジタルカメラ付き電子機器（例えば、デジタルカメラ付き携帯電話機）である。なお、本実施例では、撮影装置２として、デジタルカメラ付き携帯電話機が用いられる。
【００６４】
撮影装置２は、被写体３を撮影し、その撮影により得られる撮影画像を加工する。
【００６５】
操作部２ａは、ユーザにて操作される。操作部２ａは、例えば、シャッタボタン２ａ１を有する。
【００６６】
撮影部２ｂは、シャッタボタン２ａ１が操作されると、被写体３を撮影して、被写体３を示す撮影画像を制御部２ｆに出力する。
【００６７】
受光部２ｃは、受信部の一例である。受光部２ｃは、撮影部２ｂが被写体３を撮影する際に、特定情報を受光する。例えば、受光部２ｃは、撮影部２ｂが被写体３を撮影する際に、発光部１ａが出力している可視光に含まれる特定情報を受光する。なお、特定情報は、撮影部２ｂが出力した撮影画像に重ね合わせる重畳用画像を特定するための情報である。受光部２ｃは、受光結果を制御部２ｆに出力する。
【００６８】
通信部２ｄは、入手部の一例である。通信部２ｄは、インターネット等の通信回線を介して、その通信回線に接続されている装置（例えば、サーバ）と接続する。
【００６９】
メモリ２ｅは、コンピュータによって読み取り可能な記録媒体である。メモリ２ｅには、撮影装置２の動作を規定するプログラムが記録されている。
【００７０】
制御部２ｆは、ＣＰＵ等のコンピュータであり、メモリ２ｅに記録されたプログラムを読み取り、その読み取られたプログラムを実行して以下に示すような処理を実行する。
【００７１】
制御部２ｆは、撮影部２ｂが出力した撮影画像を、受光部２ｃが受光した特定情報に基づいて加工する。さらに言えば、制御部２ｆは、受光部２ｃが受光した特定情報にて特定される重畳用画像を撮影画像に重ね合わせて、合成画像を生成する。
【００７２】
具体的には、制御部２ｆは、受光部２ｃの受光結果から特定情報を抽出し、その抽出された特定情報にて特定される重畳用画像を、撮影部２ｂが出力した撮影画像に重ね合わせて、合成画像を生成する。
【００７３】
例えば、受光部２ｃが重畳用画像を示す画像データを特定情報として受光した場合、制御部２ｆは、その画像データにて示される重畳用画像を撮影画像に重ね合わせて合成画像を生成する。
【００７４】
また、受光部２ｃが文字を示す文字データを特定情報として受光した場合、制御部２ｆは、その文字データにて示される文字を、重畳用画像として撮影画像に重ね合わせて、合成画像を生成する。
【００７５】
また、受光部２ｃが入手情報（例えば、重畳用画像を格納しているサーバへのアクセス情報（ＵＲＬ））を特定情報として受光した場合、制御部２ｆは、その入手情報に基づいて重畳用画像を入手する処理を、通信部２ｄに実行させる。通信部２ｄは、その入手情報を利用して、重畳用画像を格納しているサーバから重畳用画像を入手する。制御部２ｆは、通信部２ｄが入手した重畳用画像を撮影画像に重ね合わせて合成画像を生成する。
【００７６】
制御部２ｆは、その合成画像を格納部２ｇに格納する。また、制御部２ｆは、その合成画像を表示部２ｈに表示する。
【００７７】
次に、第１実施例の動作を説明する。
【００７８】
撮影装置２のユーザが、被写体３を撮影するために撮影部２ｂを被写体３に向けると、受光部２ｃは、発光部１ａにて照射されている可視光を受光する。この可視光は、特定情報を含む。
【００７９】
その後、シャッタボタン２ａ１が操作されると、制御部２ｆは、撮影部２ｂに被写体３を撮影させ、また、受光部２ｃの受光結果を受け付ける。
【００８０】
撮影部２ｂは、被写体３を撮影すると、被写体３を示す撮影画像を制御部２ｆに出力する。制御部２ｆは、撮影部２ｂから出力された撮影画像を受け付ける。
【００８１】
制御部２ｆは、受光部２ｃの受光結果から特定情報を抽出し、その抽出された特定情報にて特定される重畳用画像を、撮影部２ｂが出力した撮影画像に重ね合わせて、合成画像を生成する。
【００８２】
例えば、受光部２ｃが重畳用画像（例えば、フレーム画像、特定のキャラクタを示すキャラクタ画像、または、所定の文字を示す文字画像）を示す画像データを特定情報として受光した場合、制御部２ｆは、その画像データにて示される重畳用画像を撮影画像に重ね合わせて合成画像を生成する。
【００８３】
また、受光部２ｃが文字を示す文字データ（例えば、撮影日時を示す文字、撮影場所を示す文字、または、撮影対象物の名称を示す文字）を特定情報として受光した場合、制御部２ｆは、その文字データにて示される文字を、重畳用画像として撮影画像に重ね合わせて、合成画像を生成する。
【００８４】
また、受光部２ｃが入手情報（例えば、重畳用画像を格納しているサーバへのアクセス情報（ＵＲＬ））を特定情報として受光した場合、制御部２ｆは、その入手情報に基づいて重畳用画像を入手する処理を、通信部２ｄに実行させる。通信部２ｄは、その入手情報に基づいて重畳用画像を入手する。制御部２ｆは、通信部２ｄが入手した重畳用画像を撮影画像に重ね合わせて合成画像を生成する。
【００８５】
制御部２ｆは、その合成画像を格納部２ｇに格納する。また、制御部２ｆは、その合成画像を表示部２ｈに表示する。
【００８６】
撮影装置２のユーザは、表示部２ｈに表示された合成画像を確認する。
【００８７】
本実施例によれば、制御部２ｆは、撮影画像を、特定情報（加工情報）に基づいて加工する。特定情報は、受光部２ｃにて受光される。このため、撮影画像は、ユーザが設定していない特定情報に基づいて加工可能となる。よって、加工済みの画像が、ユーザが予測できないような面白みのある画像になる可能性が高くなる。したがって、ユーザに面白みを与えることが可能になる。
【００８８】
また、本実施例では、制御部２ｆは、撮影画像を、特定情報にて特定される重畳用画像と重ね合わせる。特定情報は、受光部２ｃにて受光される。このため、撮影画像は、ユーザが設定していない重畳用画像と重ね合わせられる。よって、撮影画像と重畳用画像とが重ね合わされた画像が、ユーザが予測できないような面白みのある画像になる可能性が高くなる。したがって、ユーザに面白みを与えることが可能になる。
【００８９】
また、本実施例では、制御部２ｆは、重畳用画像を特定情報に基づいて生成する。このため、ユーザが予測できないような面白みのある画像を生成することが可能となる。
【００９０】
また、本実施例では、特定情報は、画像データまたは文字コードである。この場合、特定情報が示す画像を重畳用画像として利用可能となる。
【００９１】
また、本実施例では、受光部２ｃは、重畳用画像を入手するために必要となる入手情報を、特定情報として受光し、通信部２ｄは、重畳用画像を、その入手情報に基づいて入手し、制御部２ｆは、その入手された重畳用画像を撮影画像に重ね合わせる。この場合、特定情報として入手情報が用いられる。このため、特定情報として画像データが用いられる場合に比べて、特定情報のデータ量を少なくすることが可能になる。
【００９２】
なお、本実施例において、加工情報は、撮影画像の加工法を示す加工法情報でもよい。
【００９３】
加工情報として加工法情報が用いられた場合、制御部２ｆは、撮影部２ｂが出力した撮影画像を、受光部２ｃが受光した加工法情報に基づいて加工する。
【００９４】
例えば、加工法情報が撮影画像の明るさを反転させる加工法を示す場合、制御部２ｆは、撮影部２ｂが出力した撮影画像の明るさ（輝度）を反転させる。制御部２ｆは、加工済み撮影画像を格納部２ｇに格納し、また、加工済み撮影画像を表示部２ｈに表示する。
【００９５】
この場合、撮影画像は、ユーザが設定していない加工方法にて加工可能となる。よって、加工済みの画像が、ユーザが予測できないような面白みのある画像になる可能性が高くなる。したがって、ユーザに面白みを与えることが可能になる。
【００９６】
また、発光部１ａが発する可視光に含まれる特定情報が、時間の経過に伴って切り替わる場合、撮影装置２は、同じ場所で撮影が行われても、その撮影タイミングにより、異なる加工済み画像を出力ことが可能になる。したがって、加工済み画像が、ユーザが予測できないような面白みのある画像になる可能性が高くなる。
【００９７】
次に、本発明の第２実施例を説明する。
【００９８】
図２は、本発明の第２実施例の撮影システムを示したブロック図である。なお、図２において、図１に示したものと同一のものには同一符号を付してある。
【００９９】
図２において、撮影システムは、発光装置１と、撮影装置２Ａとを含む。撮影装置２Ａは、操作部２ａと、撮影部２ｂと、受光部２ｃと、通信部２ｄと、メモリ２ｅと、制御部２ｆ１と、格納部２ｇと、表示部２ｈとを含む。
【０１００】
なお、第２実施例では、特定情報として、例えば、光の強度、または、識別情報が用いられる。
【０１０１】
撮影装置２Ａは、例えば、デジタルカメラ、または、デジタルカメラ付き電子機器（例えば、デジタルカメラ付き携帯電話機）である。なお、本実施例では、撮影装置２Ａとして、デジタルカメラ付き携帯電話機が用いられる。
【０１０２】
撮影装置２Ａは、被写体３を撮影し、その撮影により得られる撮影画像を加工する。
【０１０３】
格納部２ｇは、基準画像を格納する。
【０１０４】
メモリ２ｅには、撮影装置２Ａの動作を規定するプログラムが記録されている。
【０１０５】
制御部２ｆ１は、ＣＰＵ等のコンピュータであり、メモリ２ｅに記録されたプログラムを読み取り、その読み取られたプログラムを実行して以下に示すような処理を行う。
【０１０６】
制御部２ｆ１は、メモリ２ｇに格納されている基準画像を、受光部２ｃが受光した特定情報に基づいて変更して重畳用画像を生成する。
【０１０７】
例えば、特定情報が光の強度である場合、制御部２ｆ１は、撮影部２ｂが被写体３を撮影する際に受光部２ｃが受けた光の強度を検出し、その検出された光の強度に基づいて基準画像を変更して重畳用画像を生成する。
【０１０８】
なお、受光部２ｃが受光した光の強度は、受光部２ｃと発光部１ａとの距離も示す。この点を補足すると、発光部１ａが発した可視光の強度は、受光部２ｃと発光部１ａとの距離が長くなるにつれて弱くなっていく。
【０１０９】
このため、制御部２ｆ１が重畳用画像を光の強度に基づいて変更することは、制御部２ｆ１が、重畳用画像を、受光部２ｃと発光部１ａとの距離に基づいて変更することでもある。
【０１１０】
特定情報が識別情報である場合、制御部２ｆ１は、撮影部２ｂが被写体３を撮影する際に受光部２ｃが受光した識別情報を抽出し、その抽出された識別情報に基づいて基準画像を変更して重畳用画像を生成する。
【０１１１】
なお、発光部１ａが、複数の識別情報を、互いに強度の異なる光にのせて投射している場合、選択部２０ａ１は、受光部２ｃが受光した光の中から、予め定められた強度を有する光を選択し、その選択した光から識別情報を抽出する。
【０１１２】
例えば、発光部１ａが、波長Ａの光に識別情報ａをのせて強度Ｘで投射すると共に、波長Ｂの光に識別情報ｂをのせて強度Ｙで投射し、さらに、波長Ｃの光に識別情報ｃをのせて強度Ｘで投射しているものとする。
【０１１３】
この状況下で、選択部２０ａ１は、受光部２ｃが受光した光の中から予め定められた強度を有する光を選択し、その選択した光から識別情報を抽出するものとする。
【０１１４】
この場合、発光部１ａと撮影装置２との距離が変わると、選択部２０ａ１にて抽出される識別情報も変化する。このため、発光部１ａと撮影部２との距離が変わると、重畳用画像が変化する。
【０１１５】
なお、上記波長Ａ、ＢおよびＣが、識別情報として用いられてもよい。
【０１１６】
制御部２ｆ１は、その生成された重畳用画像を、撮影部２ｂが出力した撮影画像に重ね合わせて合成画像を生成する。
【０１１７】
次に、第２実施例の動作を説明する。
【０１１８】
撮影装置２Ａのユーザが、被写体３を撮影するために撮影部２ｂを被写体３に向けると、受光部２ｃは、発光部１ａにて照射されている可視光を受光する。
【０１１９】
その後、シャッタボタン２ａ１が操作されると、制御部２ｆ１は、撮影部２ｂに被写体３を撮影させ、また、受光部２ｃの受光結果を受け付ける。
【０１２０】
制御部２ｆ１は、メモリ２ｇに格納されている基準画像を、受光部２ｃが受光した特定情報に基づいて変更して重畳用画像を生成する。
【０１２１】
例えば、特定情報が光の強度である場合、制御部２ｆ１は、撮影部２ｂが被写体３を撮影する際に受光部２ｃが受けた光の強度を検出し、その検出された光の強度に基づいて基準画像を変更して重畳用画像を生成する。
【０１２２】
例えば、制御部２ｆ１は、その光の強度が強くなるほど基準画像が大きくなるように基準画像を変更して重畳用画像を生成する。
【０１２３】
なお、基準画像の変更方法は、上記に限らず適宜変更可能である。例えば、制御部２ｆ１は、その光の強度に応じて、基準画像のパーツの色を変更して重畳用画像を生成してもよい。
【０１２４】
また、発光部１ａが発した可視光の強度は、受光部２ｃと発光部１ａとの距離が長くなるにつれて弱くなっていく。このため、制御部２ｆ１が重畳用画像を光の強度に基づいて変更することは、制御部２ｆ１が、重畳用画像を、受光部２ｃと発光部１ａとの距離に基づいて変更することでもある。したがって、受光部２ｃと発光部１ａとの距離が変化すると、制御部２ｆ１にて生成される重畳用画像が変わる。
【０１２５】
また、特定情報が識別情報である場合、制御部２ｆ１は、撮影部２ｂが被写体３を撮影する際に受光部２ｃが受光した識別情報を抽出し、その抽出された識別情報に基づいて基準画像を変更して重畳用画像を生成する。例えば、制御部２ｆ１は、その識別情報が基準画像の一部を示す場合、識別情報にて示された一部が強調される基準画像を変更して重畳用画像を生成する。
【０１２６】
制御部２ｆ１は、その生成された重畳用画像を、撮影部２ｂが出力した撮影画像に重ね合わせて合成画像を生成する。
【０１２７】
制御部２ｆ１は、その合成画像を格納部２ｇに格納する。また、制御部２ｆ１は、その合成画像を表示部２ｈに表示する。
【０１２８】
撮影装置２Ａのユーザは、表示部２ｈに表示された合成画像を確認する。
【０１２９】
本実施例によれば、制御部２ｆ１は、重畳用画像を、基準画像を特定情報に基づいて変更して生成する。この場合、特定情報として画像データが用いられる場合に比べて、特定情報のデータ量を少なくすることが可能となる。
【０１３０】
なお、第２実施例は、以下のように変形されてもよい。
【０１３１】
受光部２ｃが、基準画像を受光し、制御部２ｆ１が、受光部２ｃにて受光された基準画像を格納部２ｇに格納する。なお、基準画像は、特定情報とともに受光されてもよい。
【０１３２】
この場合、基準画像を変更することが可能になる。
【０１３３】
また、第２実施例は、以下のように変形されてもよい。
【０１３４】
受光部２ｃが、基準画像を入手するために必要となる入手用情報（例えば、基準画像を保持しているサーバのＵＲＬ）を受光する。通信部２ｄが、受光部２ｃが受け付けた入手用情報を利用して、基準画像を保持しているサーバから基準画像を入手する。制御部２ｆ１が、通信部２ｄにて入手された基準画像を格納部２ｇに格納する。なお、入手用情報は、特定情報とともに受光されてもよい。
【０１３５】
この場合、種々の装置から基準画像を入手することが可能になる。
【０１３６】
次に、本発明の第３実施例を説明する。
【０１３７】
図３は、本発明の第３実施例の撮影システムを示したブロック図である。なお、図３において、図１に示したものと同一のものには同一符号を付してある。
【０１３８】
図３において、撮影システムは、発光装置１と、撮影装置２０とを含む。撮影装置２０は、操作部２ａと、撮影部２ｂと、受光部２ｃと、通信部２ｄと、メモリ２ｅと、制御部２０ａと、格納部２ｇと、表示部２ｈとを含む。制御部２０ａは、選択部２０ａ１と、画像処理部２０ａ２とを含む。
【０１３９】
撮影装置２０は、例えば、デジタルカメラ、または、デジタルカメラ付き電子機器（例えば、デジタルカメラ付き携帯電話機）である。なお、本実施例では、撮影装置２０として、デジタルカメラ付き携帯電話機が用いられる。
【０１４０】
撮影装置２０は、被写体３を撮影し、その撮影により得られる撮影画像を加工する。
【０１４１】
格納部２ｇは、各々が重畳用画像を特定する複数の候補情報のそれぞれを、互いに異なる特定情報と関連づけて格納する。なお、候補情報のそれぞれは、例えば、重畳用画像そのもの（重畳用画像を示す画像データ）、文字コード、または、重畳用画像を入手するために必要となる入手情報である。
【０１４２】
なお、候補情報は、予め格納部２ｇに格納されていてもよいし、例えば、受光部２ｃまたは通信部２ｄから受け付けられてもよい。
【０１４３】
また、特定情報は、例えば、光の強度、または、識別情報である。
【０１４４】
メモリ２ｅには、撮影装置２０の動作を規定するプログラムが記録されている。
【０１４５】
制御部２０ａは、ＣＰＵ等のコンピュータであり、メモリ２ｅに記録されたプログラムを読み取り、その読み取られたプログラムを実行して以下に示すような種々の機能（選択部２０ａ１と画像処理部２０ａ２）を実現する。
【０１４６】
選択部２０ａ１は、受付部２ｃにて受け付けられた特定情報と関連づけられて格納部２ｇに格納されている候補情報を選択する。
【０１４７】
例えば、特定情報が光の強度である場合、選択部２０ａ１は、撮影部２ｂが被写体３を撮影する際に受光部２ｃが受けた光の強度を検出し、その検出された光の強度と関連づけて格納されている候補情報を選択する。
【０１４８】
なお、受光部２ｃが受光した光の強度は、受光部２ｃと発光部１ａとの距離も示す。発光部１ａが発した可視光の強度は、受光部２ｃと発光部１ａとの距離が長くなるにつれて弱くなっていく。
【０１４９】
このため、選択部２０ａ１が候補情報を光の強度に基づいて選択することは、選択部２０ａ１が、候補情報を、受光部２ｃと発光部１ａとの距離に基づいて選択することでもある。換言すると、受光部２ｃと発光部１ａとの距離が変化すると、選択部２０ａ１にて選択される候補情報が変わる。
【０１５０】
また、特定情報が識別情報である場合、選択部２０ａ１は、撮影部２ｂが被写体３を撮影する際に受光部２ｃが出力した受光結果から識別情報を抽出する。
【０１５１】
なお、発光部１ａが複数の識別情報を互いに強度の異なる光にのせて投射している場合、選択部２０ａ１は、受光部２ｃが受光した光の中から、予め定められた強度を有する光を選択し、その選択した光から識別情報を抽出する。
【０１５２】
また、発光部１ａが複数の識別情報を互いに異なる波長の光にのせて投射している場合、選択部２０ａ１は、受光部２ｃが受光した光の中から、予め定められた強度を有する波長の光を選択し、その選択した光から識別情報を抽出する。
【０１５３】
選択部２０ａ１は、その抽出された識別情報と関連づけて格納されている候補情報を選択する。
【０１５４】
なお、受光部２ｃが出力した受光結果から抽出された識別情報が撮影装置２０の識別情報であった場合にのみ、選択部２０ａ１は、その識別情報と関連づけて格納されている候補情報を選択してもよい。
【０１５５】
選択部２０ａ１は、その選択された候補情報を画像処理部２０ａ２に出力する。
【０１５６】
画像処理部２０ａ２は、選択部２０ａ１が選択した候補情報にて特定される重畳用画像を、撮影部２ｂが出力した撮影画像に重ね合わせて合成画像を生成する。
【０１５７】
例えば、選択部２０ａ１が重畳用画像を示す画像データを選択した場合、画像処理部２０ａ２は、その画像データにて示される重畳用画像を撮影画像に重ね合わせて合成画像を生成する。
【０１５８】
また、選択部２０ａ１が文字コードを選択した場合、画像処理部２０ａ２は、その文字コードにて示される文字を重畳用画像として撮影画像に重ね合わせて合成画像を生成する。
【０１５９】
また、選択部２０ａ１が入手情報（例えば、重畳用画像を格納しているサーバへのアクセス情報（ＵＲＬ））を選択した場合、画像処理部２０ａ２は、その入手情報に基づいて重畳用画像を入手する処理を、通信部２ｄに実行させる。通信部２ｄは、その入手情報を用いて、重畳用画像を格納しているサーバから重畳用画像を入手する。画像処理部２０ａ２は、通信部２ｄが入手した重畳用画像を撮影画像に重ね合わせて合成画像を生成する。
【０１６０】
画像処理部２０ａ２は、その合成画像を格納部２ｇに格納する。また、画像処理部２０ａ２は、その合成画像を表示部２ｈに表示する。
【０１６１】
次に、第３実施例の動作を説明する。
【０１６２】
撮影装置２０のユーザが、被写体３を撮影するために撮影部２ｂを被写体３に向けると、受光部２ｃは、発光部１ａにて照射されている可視光を受光する。
【０１６３】
その後、シャッタボタン２ａ１が操作されると、制御部２０ａは、撮影部２ｂに被写体３を撮影させ、また、受光部２ｃの受光結果を受け付ける。なお、選択部２０ａ１が、受光部２ｃの受光結果を受け付ける。
【０１６４】
選択部２０ａ１は、受付部２ｃにて受け付けられた特定情報と関連づけられて格納部２ｇに格納されている候補情報を選択する。
【０１６５】
例えば、特定情報が光の強度である場合、選択部２０ａ１は、撮影部２ｂが被写体３を撮影する際に受光部２ｃが受けた光の強度を検出し、その検出された光の強度と関連づけて格納されている候補情報を選択する。この場合、光の強度（発光部１ａと撮影装置２との距離）が変化すると、選択部２０ａ１にて選択される候補情報が変わる。
【０１６６】
また、特定情報が識別情報である場合、選択部２０ａ１は、撮影部２ｂが被写体３を撮影する際に受光部２ｃが出力した受光結果から識別情報を抽出する。選択部２０ａ１は、その抽出された識別情報と関連づけて格納されている候補情報を選択する。
【０１６７】
選択部２０ａ１は、その選択された候補情報を画像処理部２０ａ２に出力する。
【０１６８】
画像処理部２０ａ２は、選択部２０ａ１が選択した候補情報にて特定される重畳用画像を、撮影部２ｂが出力した撮影画像に重ね合わせて合成画像を生成する。
【０１６９】
例えば、選択部２０ａ１が重畳用画像を示す画像データを選択した場合、画像処理部２０ａ２は、その画像データにて示される重畳用画像を撮影画像に重ね合わせて合成画像を生成する。
【０１７０】
また、選択部２０ａ１が文字コードを選択した場合、画像処理部２０ａ２は、その文字コードにて示される文字を重畳用画像として撮影画像に重ね合わせて合成画像を生成する。
【０１７１】
また、選択部２０ａ１が入手情報（例えば、重畳用画像を格納しているサーバへのアクセス情報（ＵＲＬ））を選択した場合、画像処理部２０ａ２は、その入手情報に基づいて重畳用画像を入手する処理を、通信部２ｄに実行させる。通信部２ｄは、その入手情報を用いて、重畳用画像を格納しているサーバから重畳用画像を入手する。画像処理部２０ａ２は、通信部２ｄが入手した重畳用画像を撮影画像に重ね合わせて合成画像を生成する。
【０１７２】
画像処理部２０ａ２は、その合成画像を格納部２ｇに格納する。また、画像処理部２０ａ２は、その合成画像を表示部２ｈに表示する。
【０１７３】
撮影装置２０のユーザは、表示部２ｈに表示された合成画像を確認する。
【０１７４】
本実施例によれば、画像処理部２０ａ２は、撮影画像を、選択部２０ａ１が選択した候補情報にて特定される重畳用画像と重ね合わせる。選択部２０ａ１は、受光部２０が受け付けた光に基づいて、候補情報を選択する。
【０１７５】
このため、撮影画像は、ユーザが設定していない重畳用画像と重ね合わせられる。よって、撮影画像と重畳用画像とが重ね合わされた画像が、ユーザが予測できないような面白みのある画像になる可能性が高くなる。したがって、ユーザに面白みを与えることが可能になる。
【０１７６】
また、本実施例では、格納部２ｇは、重畳用画像を示す画像データを、候補情報として格納する。この場合、重畳用画像を示す画像データを生成するための処理を行う必要がなくなる。
【０１７７】
また、本実施例では、格納部２ｇは、文字コードを、候補情報として格納し、画像処理部２０ａ２は、選択部２０ａ１にて選択された文字コードにて示される文字を重畳用画像として、撮影画像に重ね合わせる。この場合、候補情報として文字コードが用いられる。このため、候補情報として画像データが用いられる場合に比べて、候補情報のデータ量を少なくすることが可能になる。
【０１７８】
また、本実施例では、格納部２ｇは、重畳用画像を入手するために必要となる入手情報を、候補情報として格納し、通信部２ｄは、選択部２０ａ１にて選択された入手情報に基づいて重畳用画像を入手し、画像処理部２０ａ２は、その入手された重畳用画像を撮影画像に重ね合わせる。この場合、候補情報として画像データが用いられる場合に比べて、候補情報のデータ量を少なくすることが可能になる。
【０１７９】
また、本実施例の撮影システムによれば、ユーザが予測できないような面白みのある画像を提供することが可能となる。
【０１８０】
例えば、発光部１ａと撮影装置との距離が変わると、表示部２ｈが表示する合成画像が変わる。この場合、撮影場所が少し変わるだけで、表示部２ｈに表示される合成画像が変化し、ユーザに面白みを与えることが可能になる。
【０１８１】
なお、上記各実施例では、発光部１ａは、加工情報を他の加工情報に切り替えていく。この場合、撮影装置が同じ場所で撮影を行っても、その撮影タイミングにより、異なる加工済み画像を得ることが可能になる。したがって、撮影タイミングが異なるだけで、表示部２ｈに表示される合成画像が変化し、ユーザに面白みを与えることが可能になる。
【０１８２】
なお、第３実施例は以下のように変形されてもよい。
【０１８３】
図４は、第３実施例の変形例を示したブロック図である。なお、図４において、図３に示したものと同一のものには同一符号を付してある。
【０１８４】
図４において、撮影装置２１は、例えば、デジタルカメラ付き携帯電話機である。撮影装置２１には、図３に示した撮影装置２０に加えて、光制御部４が設けられている。
【０１８５】
光制御部４は、受光部２ｃが受光する特定情報を選択する。
【０１８６】
図５は、光制御部４の一例を示した要部断面図である。
【０１８７】
図５において、遮光部４ａは、光制御部４の一例である。遮光部４ａは、撮影装置２１がデジタルカメラ付き携帯電話機である場合、そのデジタルカメラ付き携帯電話機に着脱可能なパネル（いわゆる「着せ替えパネル」）に設けられる。この場合、特定情報として、受光素子２ｃ１〜２ｃ３の受光結果が用いられる。
【０１８８】
遮光部４ａは、受光部２ｃの一部を選択的に遮光する。図５に示した例では、遮光部４ａは、受光部２ｃが有する受光素子２ｃ１に対応する穴４ｂを有する。このため、遮光部４ａは、受光素子２ｃ１へ入射する光を遮らないが、受光素子２ｃ２および２ｃ３へ入射する光を遮る。受光部２ｃは、受光素子２ｃ１〜２ｃ３の受光結果を、特定情報として選択部２０ａ１に出力する。
【０１８９】
本変形例では、遮光部４ａが受光部２ｃの一部を選択的に遮光して、受光部２ｃが受光する特定情報を選択する。例えば、遮光部４ａが、撮影装置２１に対して着脱可能であると、受光部２ｃが受光する特定情報は、撮影装置２１に取り付けられた遮光部４ａの形状に応じて変化する。このため、撮影画像と重畳用画像とが重ね合わされた画像が、ユーザが予測できないような面白みのある画像になる可能性が高くなる。
【０１９０】
なお、光制御部４は、遮光部４ａに限らず適宜変更可能である。
【０１９１】
図６は、光制御部４の他の例を示した説明図である。
【０１９２】
図６において、フィルタ部４ｃは、光制御部４の一例である。フィルタ部４ｃは、撮影装置２１がデジタルカメラ付き携帯電話機である場合、そのデジタルカメラ付き携帯電話機に着脱可能なパネル（いわゆる「着せ替えパネル」）に設けられる。
【０１９３】
フィルタ部４ｃは、受光部２ｃが受光する光を変更する。この場合、特定情報として、受光素子２ｃ１〜２ｃ３の受光結果（受光素子２ｃ１〜２ｃ３が受光する光）が用いられる。
【０１９４】
図６に示した例では、フィルタ部４ｃは、フィルタ４ｄと、フィルタ４ｅと、フィルタ４ｆとを含む。フィルタ４ｄは、受光素子２ｃ１に対応するフィルタ（例えば、赤色の光のみを透過するフィルタ）である。フィルタ４ｅは、受光素子２ｃ２に対応するフィルタ（例えば、緑色の光のみを透過するフィルタ）である。フィルタ４ｆは、受光素子２ｃ３に対応するフィルタ（例えば、青色の光のみを透過するフィルタ）である。
【０１９５】
受光部２ｃは、受光素子２ｃ１〜２ｃ３の受光結果を、特定情報として選択部２０ａ１に出力する。
【０１９６】
図７は、光制御部４のさらに他の例を示した説明図である。なお、図７において、図５に示したものと同一のものには同一符号を付してある。
【０１９７】
図７において、液晶パネル４ｇは、光制御部の一例である。液晶パネル４ｇは、受光素子２ｃ１〜２ｃ３に入射する光を制御する。例えば、液晶パネル４ｇは、所定時間ごとに異なる模様を表示して、受光素子２ｃ１〜２ｃ３に入射する光を制御する。受光部２ｃは、受光素子２ｃ１〜２ｃ３の受光結果を、特定情報として選択部２０ａ１に出力する。
【０１９８】
本変形例によれば、重畳用画像を特定する特定情報は、光制御部４によって選択される。このため、撮影画像と重畳用画像とが重ね合わされた画像が、ユーザが予測できないような面白みのある画像になる可能性が高くなる。
【０１９９】
なお、光制御部４は、第２実施例の受光部２ｃの前方に設けられてもよい。この場合、特定情報が光制御部４によって選択されるため、重畳用画像は光制御部４によって選択される。
【０２００】
なお、第２実施例および第３実施例では、特定情報として、受光部２ｃが受光する光の強度が用いられる。光の強度は、その光を発光した発光部１ａとの距離も示す。このため、撮影画像と重ねられる重畳用画像は、その光の強度またはその距離に基づいて選択される。したがって、撮影画像と重畳用画像とが重ね合わされた画像が、ユーザが予測できないような面白みのある画像になる可能性が高くなる。
【０２０１】
また、第２実施例および第３実施例では、特定情報として、識別情報が用いられる。この場合、識別情報を利用することによって、撮影画像と重畳用画像とが重ね合わされた画像が、ユーザが予測できないような面白みのある画像になる可能性が高くなる。
【０２０２】
上記各実施例によれば、ユーザが予測できないような面白みのある画像を提供することが可能となる。
【０２０３】
例えば、撮影場所が少し変わるだけで、被写体の横に合成されるキャラクタの絵が変わっていくようにでき、ユーザに面白みを与えることが可能になる。
【０２０４】
また、例えば、撮影タイミングが異なるだけで、被写体の横に合成されるキャラクタの絵が変わっていくようにでき、ユーザに面白みを与えることが可能になる。
【０２０５】
以上説明した各実施例において、図示した構成は単なる一例であって、本発明はその構成に限定されるものではない。
【０２０６】
例えば、上記各実施例において、撮影部２ｂが受光部２ｃを兼ねてもよい。この場合、構成の簡略化が図れる。
【０２０７】
また、上記各実施例において、受光部２ｃが受信部として用いられたが、受信部は受光部に限らず適宜変更可能である。例えば、受信部は、電波にて送信される加工情報を受信する電波通信部でもよい。
【０２０８】
また、上記各実施例において、撮影時に取得された加工情報が、撮影画像の変更に用いられたが、加工情報は、撮影時に取得されたものに限らない。例えば、加工情報は、撮影前に取得されてもよい。
【図面の簡単な説明】
【０２０９】
【図１】本発明の第１実施例の撮影システムを示したブロック図である。
【図２】本発明の第２実施例の撮影システムを示したブロック図である。
【図３】本発明の第３実施例の撮影システムを示したブロック図である。
【図４】本発明の第３実施例の変形例を示したブロック図である。
【図５】光制御部の一例を示した説明図である。
【図６】光制御部の他の例を示した説明図である。
【図７】光制御部の他の例を示した説明図である。
【符号の説明】
【０２１０】
１      発光装置
１ａ    発光部
１ｂ    発光制御部
２      撮影装置
２ａ    操作部
２ａ１  シャッタボタン
２ｂ    撮影部
２ｃ    受光部
２ｃ１〜２ｃ３  受光素子
２ｄ    通信部
２ｅ    メモリ
２ｆ    制御部
２ｆ１  制御部
２ｇ    格納部
２ｈ    表示部
３      被写体
４      光制御部
４ａ    遮光部
４ｂ    穴
４ｃ    フィルタ部
４ｄ〜４ｆ  フィルタ
４ｇ    液晶パネル
２０      撮影装置
２０ａ    制御部
２０ａ１  選択部
２０ａ２  画像処理部
２１      撮影装置
【図１】
2006229743.tif 000003
【図２】
2006229743.tif 000004
【図３】
2006229743.tif 000005
【図４】
2006229743.tif 000006
【図５】
2006229743.tif 000007
【図６】
2006229743.tif 000008
【図７】
2006229743.tif 000009